(57)【要約】【課題】  物性フィルタの透過率制御によって大きなレリーズタイムラグが生じてしまう。【解決手段】  物性フィルタ（２１）を含む撮影光学系を用いて撮像を行う撮像装置であって、第１の信号に応じて測光を行い、第２の信号に応じて測光の結果に基づく撮像制御を行う制御手段（１）を有し、制御手段は、第２の信号の入力前に、測光結果に基づく物性フィルタの透過率制御を行う。【選択図】  図１
2006003438.tif 000002
【特許請求の範囲】
【請求項１】
物性フィルタを含む撮影光学系を用いて撮像を行う撮像装置であって、
第１の信号に応じて測光を行い、第２の信号に応じて該測光の結果に基づく撮像制御を行う制御手段を有し、
該制御手段は、前記第２の信号の入力前に、前記測光結果に基づく前記物性フィルタの透過率制御を行うことを特徴とする撮像装置。
【請求項２】
前記撮影光学系は、機械絞りを含み、
前記制御手段は、前記第２の信号に応じて、前記測光結果に基づく前記機械絞りの開口径制御を行うことを特徴とする請求項１に記載の撮像装置。
【請求項３】
前記撮影光学系は、機械絞りを含み、
前記制御手段は、前記第２の信号に応じて、前記測光結果に基づく前記機械絞りの開口径制御を行い、かつ再度の測光結果に基づく前記物性フィルタの透過率制御を行うことを特徴とする請求項１に記載の撮像装置。
【請求項４】
前記第１の信号が、該撮像装置の電源スイッチのオン信号又は前記測光を指示するスイッチの出力信号であることを特徴とする請求項１に記載の撮像装置。
【請求項５】
グリップ部が保持されたことを検出する第１の検出手段を有し、
前記第１の信号が、前記第１の検出手段の出力信号であることを特徴とする請求項１に記載の撮像装置。
【請求項６】
光学部材を介して被写体を観察するための光学ファインダと、該光学ファインダに撮影者の顔又は瞳が接近したことを検出する第２の検出手段とを有し、
前記第１の信号が、前記第２の検出手段の出力信号であることを特徴とする請求項１に記載の撮像装置。
【請求項７】
前記撮影光学系を有することを特徴とする請求項１から６のいずれか１つに記載の撮像装置。
【請求項８】
前記撮影光学系を有するレンズ装置と、
該レンズ装置が装着される請求項１から６のいずれか１つに記載の撮像装置とを有することを特徴とする撮像システム。
【発明の詳細な説明】
【技術分野】
【０００１】
本発明は、物性フィルタを含む撮影光学系を用いて撮像を行う撮像装置に関するものである。
【背景技術】
【０００２】
撮像装置において、機械絞り（複数の絞り羽根を動作させることによって光通過口の径を変化させる絞り）での絞り口径を所定の径よりも小さくした場合（小絞りにした場合）には、回折現象により結像性能が劣化してしまう。そこで、絞り口径を変化させる機械絞りと透過率を変化させる物性フィルタを併用することで、回折による結像性能の劣化を抑制できる撮像装置がある（例えば、特許文献１参照）。この撮像装置では、回折による結像性能の劣化が発生しない範囲内で機械絞りを制御し、それよりも光量を減らす場合（絞り口径を小さくする場合）は物性フィルタの透過率を下げるようにしている。
【０００３】
ここで、物性フィルタとして、例えばエレクトロクロミック素子を使用した場合、透過率変化の応答速度が遅いといった問題がある。そこで、エレクトロクロミック素子の応答速度を速めるために、所定時間目標電圧よりも高い電圧をエレクトロクロミック素子に印加し、その後は目標電圧を印加させる透過光量調整装置がある（例えば、特許文献２参照）。
【特許文献１】特開平１０−４２１９０号公報（段落番号００１２〜００１４、図２、図３、図４等）
【特許文献２】特開平９−２１１４９７号公報（段落番号００１３、図１等）
【発明の開示】
【発明が解決しようとする課題】
【０００４】
特許文献２の透過光量調整装置では、エレクトロクロミック素子の駆動開始の段階から目標電圧を印加する場合に比べてエレクトロクロミック素子での応答速度を速くすることができるものの、透過率が変化するまでには多少の時間がかかってしまう。このため、透過率の変化が完了するのを待ってから撮像動作を行わなければならず、シャッタチャンスを逃してしまうおそれがある。
【０００５】
一方、特許文献１、２では、エレクトロクロミック素子の適切な駆動タイミングについては開示されていない。
【０００６】
本発明の目的は、撮像制御に要する時間を短縮できる撮像装置を提供することにある。
【課題を解決するための手段】
【０００７】
本発明は、物性フィルタを含む撮影光学系を用いて撮像を行う撮像装置であって、第１の信号に応じて測光を行い、第２の信号に応じて該測光の結果に基づく撮像制御を行う制御手段を有し、該制御手段は、前記第２の信号の入力前に、前記測光結果に基づく前記物性フィルタの透過率制御を行うことを特徴とする。
【発明の効果】
【０００８】
本発明によれば、第２の信号の入力前、すなわち撮像制御を行う前に物性フィルタの透過率制御を行わせておくことで、透過率制御を撮像制御と共に行う場合に比べて撮像制御に要する時間を短縮することができる。
【発明を実施するための最良の形態】
【０００９】
以下、本発明の実施例について説明する。
【実施例１】
【００１０】
図１は、本発明の実施例１であるカメラシステム（撮像システム）の構成を示すブロック図である。ここで、本実施例のカメラシステムは、カメラ本体（撮像装置）１００と、カメラ本体１に着脱可能に装着されるレンズ装置１０１とを有している。
【００１１】
１は、カメラ本体１００内に設けられ、カメラシステム全体の動作を制御するマイクロコンピュータ（制御手段）である。２０はレンズ装置１０１内に設けられたレンズ内制御回路であり、レンズ装置１０１におけるフォーカスレンズの駆動、機械絞りの駆動及び物性フィルタの駆動を制御する。
【００１２】
２１は、透過率（濃度等）を変更可能な物性フィルタ（例えば、エレクトロクロミック素子）である。図７にエレクトロクロミック素子の構成を示す。図７において、ガラス基板７０６の表面にはＩＴＯ(Indium Tin Oxide)等の透過被膜電極７０２が形成されている。また、ＩＴＯ等の透過被膜電極７０１、７０２の間には、透明被膜電極７０１側から順に、ＩｒＯｘ等の酸化発色被膜層７０４、Ｔａ２Ｏ５、ＳｉＯ２等の絶縁被膜層７０３、ＷＯ３、ＭｏＯ３等の還元発色被膜層７０５が配置されている。透過被膜電極７０１、７０２に電圧を印加すると、発色被膜層７０４、７０５が発色することで透過特性が変化する。
【００１３】
２２は機械絞りである。図８に機械絞り２２の構成を示す。図８において、絞り羽根２２ａ、２２ｂは、光軸Ｌに対して直交する面内を移動することによって、絞り羽根２２ａ、２２ｂによって形成される光通過口となる開口面積、すなわち絞り口径を変化させる。なお、機械絞り２２の構成は図８に示す構成に限られず、他の構成、例えば、いわゆる虹彩絞りや、２つの絞り羽根を光軸方向視において互いに近づく方向及び離れる方向に移動させることで絞り口径を変化させるタイプの絞りとすることができる。
【００１４】
２３はフォーカス駆動回路であり、レンズ内制御回路２０からの制御信号を受けることで、レンズ装置１０１内に配置されたフォーカスレンズ（不図示）を駆動する。２４はズーム駆動回路であり、レンズ内制御回路２０からの制御信号を受けることで、レンズ装置１０１内に配置されたズームレンズ（不図示）を駆動する。
【００１５】
３は液晶表示回路であり、マイクロコンピュータ１からの制御信号を受けることで、カメラ本体１００に設けられた液晶表示器（不図示）を駆動する。液晶表示器には、撮影画像や撮影情報（例えば、シャッタスピード、絞り値、ＩＳＯ感度、撮影枚数）等が表示される。４はスイッチセンス回路であり、カメラ本体１００に設けられた種々のスイッチ（撮影者が撮影条件を設定するためのスイッチやカメラの状態を示す信号を出力するスイッチ）の状態を検出し、この検出結果をマイクロコンピュータ１に出力する。マイクロコンピュータ１は、スイッチセンス回路４からの入力を受けて各種スイッチの操作に応じた動作を行う。
【００１６】
５は発光調光制御回路であり、マイクロコンピュータ１からの制御信号を受けることで、カメラ本体１に設けられた照明装置又はカメラ本体１に装着される照明装置の駆動を制御する。具体的には、上記照明装置の発光やＴＴＬ調光による発光停止の制御を行う。Ｘ接点５ａは、後述するシャッタユニットにおける先幕の走行完了のタイミングでオン状態となり、発光タイミングを発光調光制御回路５に知らせる。
【００１７】
６は焦点検出ユニットであり、撮影光学系の焦点状態を検出して該検出結果をマイクロコンピュータ１に出力する。焦点検出ユニット６は、公知の位相差検出方式により焦点検出を行うためのラインセンサと、該ラインセンサで蓄積された電荷を読み出すための回路とを有しており、焦点検出ユニット６での動作はマイクロコンピュータ１により制御される。
【００１８】
７は測光素子を有する測光ユニットであり、被写体輝度の検出（測光）を行い、この測光結果をマイクロコンピュータ１に出力する。マイクロコンピュータ１は、測光ユニット７から出力された測光結果に基づいて、露出条件（シャッタスピード、絞り値、物性フィルタ、ＩＳＯ）の設定を行う。
【００１９】
８はシャッタ制御回路であり、マイクロコンピュータ１からの制御信号を受けることで、カメラ本体１内に設けられたシャッタユニット（不図示）の駆動を制御する。具体的には、シャッタユニット（フォーカルプレンシャッタ）における先幕および後幕の走行制御を行う。
【００２０】
９はカメラ本体１００に設けられたレリーズボタン（不図示）の半押し操作に応じてオン状態となるスイッチＳＷ１である。マイクロコンピュータ１は、スイッチＳＷ１からのオン信号の入力を受けると、撮影準備動作（焦点調節動作、測光動作、所定情報の表示動作）を開始する。
【００２１】
１０は上記レリーズボタンの全押し操作に応じてオン状態となるスイッチＳＷ２である。マイクロコンピュータ１は、スイッチＳＷ２からのオン信号の入力を受けると、撮影動作、具体的には、カメラ本体１００内に設けられた撮像素子への露光動作を開始する。
【００２２】
１１はメインスイッチ（電源スイッチ）であり、カメラ本体１００における電源のオン／オフ状態を切り換えるために操作されるスイッチである。１２はグリップセンサ（第１の検出手段）であり、撮影者の手がカメラ本体１００のグリップ部（不図示）に触れたこと、すなわちグリップ部が保持されたことを検出し、この検出結果をマイクロコンピュータ１に出力する。１３はファインダセンサ（第２の検出手段）であり、撮影者がカメラ本体１００に設けられた光学ファインダ（接眼レンズ）を覗いたこと、具体的には、撮影者の頭又は瞳が接眼レンズに接近したことを検出し、この検出結果をマイクロコンピュータ１に出力する。
【００２３】
上述した各回路とマイクロコンピュータ１は、シリアルデータバスＤＢＵＳを介してデータ通信を行う。また、上述した各回路は、マイクロコンピュータ１からの制御信号に基づいて駆動する。
【００２４】
レンズ内制御回路２０はマイクロコンピュータ１からＬＣＯＭ信号を受けている間、データバスＤＢＵＳを介してマイクロコンピュータ１とシリアル通信を行う。レンズ内制御回路２０は、シリアル通信によりマイクロコンピュータ１からアクチュエータの駆動に関する情報を受け取り、該情報に基づいてレンズ装置内のアクチュエータの駆動を制御する。同時に、レンズ内制御回路２０は、レンズ装置１０１における各種の情報、例えば、ズーム位置、フォーカス位置、機械絞り２２の開放ＦＮｏ及び最大ＦＮｏ、物性フィルタ２１の最大透過率と最小透過率を示す情報を、シリアル通信によりマイクロコンピュータ１に送信する。ここで、上述した各種の情報は、レンズ内制御回路２０内に設けられたメモリ又はレンズ内制御回路２０とは別に設けられたメモリに格納されている。
【００２５】
一方、液晶表示回路３は、マイクロコンピュータ１からＤＰＣＯＭ信号を受けている間、データバスＤＢＵＳを介しマイクロコンピュータ１とシリアル通信を行う。シリアル通信により表示データを受け取り、このデータに従って液晶表示器を駆動する。
【００２６】
また、スイッチセンス回路４は、マイクロコンピュータ１からＳＷＣＯＭ信号を受けている間、データバスＤＢＵＳを介しシリアル通信によりマイクロコンピュータ１に検出データ（スイッチ等の状態を示すデータ）を出力する。
【００２７】
発光調光制御回路５は、マイクロコンピュータ１からＳＴＣＯＭ信号を受けている間、データバスＤＢＵＳを介してマイクロコンピュータ１とシリアル通信を行い、照明装置の駆動制御に関するデータを受け取り、該データに基づいて照明装置を駆動する。
【００２８】
図２は、本実施例のカメラシステムにおける撮影動作を示すフローチャートである。
【００２９】
まず、マイクロコンピュータ１に電力が供給されている状態において、マイクロコンピュータ１は、メインスイッチ１１がオフ状態であるか、オン状態であるかの判別を行う（Ｓ１００１）。ここで、メインスイッチ１１がオフ状態の場合には本フローを終了する。一方、メインスイッチ１１がオン状態である場合、すなわち、マイクロコンピュータ１がメインスイッチ１１のＯＮ信号（第１の信号）の入力を受けた場合には、ステップＳ１００２に進む。
【００３０】
また、マイクロコンピュータ１は、スイッチＳＷ１がオン状態であるか、オフ状態であるかの判別を行う（Ｓ１００２）。ここで、スイッチＳＷ１がオフ状態である場合には、ステップＳ１００１へ戻り、スイッチＳＷ１がオン状態である場合には、ステップＳ１００３に進む。
【００３１】
ステップＳ１００３において、マイクロコンピュータ１はレンズ内制御回路２０に対して機械絞り２２の駆動命令を行い、レンズ内制御回路２０は、機械絞り２２の駆動を制御することによって、機械絞り２２の絞り口径を開放状態とする。
【００３２】
次に、測光ユニット７において測光動作を開始させる（Ｓ１００４）。そして、マイクロコンピュータ１は、測光ユニット７から出力された測光結果に基づいて、露光時間（シャッタ速度）、ＦＮｏ（絞り値）、物性フィルタ２１の透過率の組合せを予め設定された優先順位に従って決定する（Ｓ１００５）。
【００３３】
具体的には、露光時間、ＦＮｏおよび物性フィルタ２１の透過率のうち１つの露光条件が撮影者によって設定された場合（例えば、絞り優先モードで絞り値を設定した場合やシャッタスピード優先モードでシャッタ速度を設定した場合）には、該設定された露光条件および上記測光結果に基づいて適正露出が得られるように他の露光条件を演算によって求める。
【００３４】
次に、マイクロコンピュータ１は、レンズ内制御回路２０に対して物性フィルタ２１の駆動命令を行う。該駆動命令を受けたレンズ内制御回路２０は、物性フィルタ２１の駆動を制御することによって、物性フィルタ２１での透過率を、ステップＳ１００５で決定された透過率とする（Ｓ１００６）。具体的には、ステップＳ１００５で決定された透過率に対応した電圧値を、図７に示すエレクトロクロミック素子に印加する。
【００３５】
次に、焦点検出ユニット６を用いて焦点検出を行い、マイクロコンピュータ１は焦点検出ユニット６の焦点検出結果（デフォーカス量）に基づいてフォーカスレンズの駆動量（駆動方向を含む）を演算する（Ｓ１００７）。そして、マイクロコンピュータ１は、フォーカスレンズの駆動量に関する情報をレンズ内制御回路２０に送信する。レンズ内制御回路２０は、受信したフォーカスレンズの駆動量に基づいてフォーカス駆動回路２３の駆動を制御することで、フォーカスレンズを合焦位置まで移動させる。
【００３６】
次に、マイクロコンピュータ１は、スイッチＳＷ２がオフ状態であるか、オン状態であるかの判別を行う（Ｓ１００８）。ここで、スイッチＳＷ２がオフ状態の場合にはステップＳ１００１へ戻る。一方、スイッチＳＷ２がオン状態の場合、すなわち、マイクロコンピュータ１がスイッチＳＷ２のオン信号（第２の信号）の入力を受けた場合には、ステップＳ１００９に進む。
【００３７】
ステップＳ１００９において、マイクロコンピュータ１は、ステップＳ１００５で決定された絞り値に関する情報をレンズ内制御回路２０に送信する。レンズ内制御回路２０は、受信した絞り値となるように機械絞り２２の駆動を制御する。
【００３８】
そして、マイクロコンピュータ１は、シャッタ制御回路８を介してシャッタユニットの駆動を制御することで、撮像素子への露光動作を行う（Ｓ１０１０）。ここで、ステップＳ１００５で決定された露出時間の分だけシャッタユニットを開き状態とした後、シャッタユニットを閉じ状態とする。これにより、撮像素子への露光が終了する。
【００３９】
撮像素子では、撮影光学系によって形成された物体像（光学像）が光電変換によって電気信号に変換され、蓄積された電荷が読み出される。撮像素子から読み出された信号は、カメラ本体１００内に設けられた画像処理回路（不図示）で所定の処理（色処理等）が施された後、液晶表示器で撮影画像として表示されたり、記録媒体に記録されたりする。
【００４０】
本実施例によれば、スイッチＳＷ２がオン状態となることによって開始される露光動作（撮像制御）の前に、所望の透過率となるように予め物性フィルタ２１を駆動している。このため、スイッチＳＷ２がオン状態になってから物性フィルタ２１の駆動を開始させる場合に比べて、スイッチＳＷ２がオン状態となってから露光動作が完了するまでの時間を短縮することができる。
【実施例２】
【００４１】
図３は、本発明の実施例２であるカメラシステムにおける撮影動作を示すフローチャートである。ここで、本実施例のカメラシステムの構成は、実施例１で説明した構成と同じであるため、説明を省略する。また、後述する実施例で説明するカメラシステムの構成も実施例１で説明した構成と同じである。
【００４２】
まず、マイクロコンピュータ１に電力が供給されている状態において、マイクロコンピュータ１は、スイッチＳＷ１がオフ状態であるか、オン状態であるかの判別を行う（Ｓ２００１）。ここで、スイッチＳＷ１がオフ状態の場合には本フローを終了し、スイッチＳＷ１がオン状態の場合、すなわち、マイクロコンピュータ１がスイッチＳＷ１のＯＮ信号（第１の信号）の入力を受けた場合には、ステップＳ２００２に進む。
【００４３】
ステップＳ２００２において、マイクロコンピュータ１はレンズ内制御回路２０に対して機械絞り２２の駆動命令を行い、該駆動命令を受けたレンズ内制御回路２０は機械絞り２２の駆動を制御することで、絞り口径を開放状態にする。
【００４４】
次に、測光ユニット７において測光動作を開始させる（Ｓ２００３）。マイクロコンピュータ１は、測光ユニット７から出力された測光結果に基づいて、露光時間（シャッタ速度）、ＦＮｏ（絞り値）および物性フィルタ２１の透過率の組合せを、上述したように予め設定された優先順位に従って決定する（Ｓ２００４）。
【００４５】
次に、マイクロコンピュータ１はレンズ内制御回路２０に対して物性フィルタ２１の駆動命令を行い、該駆動命令を受けたレンズ内制御回路２０は、物性フィルタ２１の駆動を制御することによって、物性フィルタ２１での透過率を、ステップＳ２００４で決定された透過率とする（Ｓ２００５）。
【００４６】
次に、焦点検出ユニット６を用いて焦点検出を行い、マイクロコンピュータ１は焦点検出ユニット６の焦点検出結果に基づいてフォーカスレンズの駆動量（駆動方向を含む）を演算する（Ｓ２００６）。そして、マイクロコンピュータ１は、フォーカスレンズの駆動量に関する情報をレンズ内制御回路２０に送信する。レンズ内制御回路２０は、受信したフォーカスレンズの駆動量に基づいてフォーカス駆動回路２３の駆動を制御することで、フォーカスレンズを合焦位置まで移動させる。
【００４７】
次に、マイクロコンピュータ１は、スイッチＳＷ２がオフ状態であるか、オン状態であるかの判別を行う（Ｓ２００７）。ここで、スイッチＳＷ２がオフ状態の場合にはステップＳ２００１へ戻る。一方、スイッチＳＷ２がオン状態の場合、すなわち、マイクロコンピュータ１がスイッチＳＷ２のオン信号（第２の信号）の入力を受けた場合には、ステップＳ２００８に進む。
【００４８】
ステップＳ２００８において、マイクロコンピュータ１はレンズ内制御回路２０に対して機械絞り２２の駆動命令を行い、該駆動命令を受けたレンズ内制御回路２０は、機械絞り２２の駆動を制御することによって、機械絞り２２の絞り口径を、ステップＳ２００４で決定された絞り値に対応した絞り口径とする。
【００４９】
そして、マイクロコンピュータ１は、シャッタ制御回路８を介してシャッタユニットの駆動を制御することで、撮像素子への露光動作を行う（Ｓ２００９）。ここで、ステップＳ２００４で決定された露出時間の分だけシャッタユニットを開き状態とした後、シャッタユニットを閉じ状態とする。これにより、撮像素子への露光が終了する。
【実施例３】
【００５０】
図４は、本発明の実施例３であるカメラシステムにおける撮影動作を示すフローチャートである。
【００５１】
まず、マイクロコンピュータ１に電力が供給されている状態において、マイクロコンピュータ１はグリップセンサ１２の出力信号に基づいて撮影者がカメラ本体１００のグリップ部を保持しているか否かを判別する（Ｓ３００１）。ここで、撮影者がグリップ部を保持していると判別した場合、すなわち、グリップセンサ１２からグリップ部が保持されていることを示す検出信号（第１の信号）を受信した場合には、ステップＳ３００３へ進む。一方、マイクロコンピュータ１がグリップセンサ１２の出力に基づいてグリップ部を保持していないと判別した場合にはステップＳ３００２へ進む。
【００５２】
ステップＳ３００２において、マイクロコンピュータ１はファインダセンサ１３の出力信号に基づいて撮影者が光学ファインダ（カメラ本体１００に設けられた不図示の接眼レンズ）を覗いているか否かを判別する。具体的には、マイクロコンピュータ１は、ファインダセンサ１３の出力に基づいて撮影者の頭又は瞳が上記接眼レンズに接近しているか否かを判別する。
【００５３】
ここで、撮影者が光学ファインダを覗いていると判別した場合、すなわち、撮影者の頭又は瞳が接眼レンズに接近していることを示す検出信号（第１の信号）を、マイクロコンピュータ１がファインダセンサ１３から受信した場合には、ステップＳ３００３へ進む。一方、マイクロコンピュータ１がファインダセンサ１３の出力に基づいて撮影者が光学ファインダを覗いていないと判別した場合にはステップＳ３００１へ戻る。
【００５４】
ステップＳ３００３において、マイクロコンピュータ１は、スイッチＳＷ１がオン状態であるか、オフ状態であるかの判別を行う。ここで、スイッチＳＷ１がオフ状態である場合にはステップＳ３００１に戻り、スイッチＳＷ１がオン状態である場合にはステップＳ３００４に進む。
【００５５】
ステップＳ３００４において、マイクロコンピュータ１はレンズ内制御回路２０に対して機械絞り２２の駆動命令を行い、該駆動命令を受けたレンズ内制御回路２０は、機械絞り２２の駆動を制御することで、絞り口径を開放状態にする。
【００５６】
次に、測光ユニット７において測光動作を開始させる（Ｓ３００５）。そして、マイクロコンピュータ１は、測光ユニット７から出力された測光結果に基づいて、露光時間、ＦＮｏ（絞り値）および物性フィルタ２１の透過率の組合せを、上述したように予め設定された優先順位に従って決定する（Ｓ３００６）。
【００５７】
次に、マイクロコンピュータ１はレンズ内制御回路２０に対して物性絞り２１の駆動命令を行い、該駆動命令を受けたレンズ内制御回路２０は、物性フィルタ２１の駆動を制御することによって、物性フィルタ２１での透過率を、ステップＳ３００６で決定された透過率とする（Ｓ３００７）。
【００５８】
次に、焦点検出ユニット６を用いて焦点検出を行い、マイクロコンピュータ１は焦点検出ユニット６の焦点検出結果に基づいてフォーカスレンズの駆動量（駆動方向を含む）を演算する（Ｓ３００８）。そして、マイクロコンピュータ１は、フォーカスレンズの駆動量に関する情報をレンズ内制御回路２０に送信する。レンズ内制御回路２０は、受信したフォーカスレンズの駆動量に基づいてフォーカス駆動回路２３の駆動を制御することで、フォーカスレンズを合焦位置まで移動させる。
【００５９】
次に、マイクロコンピュータ１は、スイッチＳＷ２がオフ状態であるか、オン状態であるかの判別を行う（Ｓ３００９）。ここで、スイッチＳＷ２がオフ状態の場合にはステップＳ３００１へ戻る。一方、スイッチＳＷ２がオン状態の場合、すなわち、マイクロコンピュータ１がスイッチＳＷ２のＯＮ信号（第２の信号）の入力を受けた場合にはステップＳ３０１０に進む。
【００６０】
ステップＳ３０１０において、マイクロコンピュータ１はレンズ内制御回路２０に対して機械絞り２１の駆動命令を行い、該駆動命令を受けたレンズ内制御回路２０は、機械絞り２２の駆動を制御することによって、機械絞り２２の絞り口径を、ステップＳ３００６で決定された絞り値に対応した絞り口径とする。
【００６１】
そして、マイクロコンピュータ１は、シャッタ制御回路８を介してシャッタユニットの駆動を制御することで、撮像素子に対して露光を行う（Ｓ３０１１）。ここで、ステップＳ３００６で決定された露出時間の分だけシャッタユニットを開き状態とした後、シャッタユニットを閉じ状態とする。これにより、撮像素子への露光が終了する。
【実施例４】
【００６２】
図５は、本発明の実施例４であるカメラシステムにおける撮影動作を示すフローチャートである。
【００６３】
まず、マイクロコンピュータ１に電力が供給されている状態において、マイクロコンピュータ１はグリップセンサ１２の出力に基づいて撮影者がカメラ本体１００のグリップ部を保持しているか否かを判別する（Ｓ４００１）。ここで、グリップ部を保持していると判別した場合、すなわち、マイクロコンピュータ１がグリップセンサ１２からグリップ部が保持されていることを示す検出信号（第１の信号）を受けた場合にはステップＳ４００２へ進む。一方、マイクロコンピュータ１がグリップセンサ１２の出力に基づいてグリップ部を保持していないと判別した場合には本フローを終了する。
【００６４】
ステップＳ４００２において、マイクロコンピュータ１はファインダセンサ１３の出力に基づいて撮影者が光学ファインダを覗いているか否か、すなわち、撮影者の頭又は瞳が光学ファインダ（接眼レンズ）に接近しているか否かを判別する。
【００６５】
ここで、撮影者が光学ファインダを覗いていると判別した場合、すなわち、撮影者の頭又は瞳が光学ファインダに接近していることを示す検出信号（第１の信号）を、ファインダセンサ１３から受信した場合には、ステップＳ４００３へ進む。また、ファインダセンサ１３の出力に基づいて撮影者が光学ファインダを覗いていないと判別した場合にはステップＳ４００１へ戻る。
【００６６】
ステップＳ４００３において、マイクロコンピュータ１は、スイッチＳＷ１のオン／オフ状態を判別する。ここで、スイッチＳＷ１がオフ状態である場合にはステップＳ４００１に戻り、スイッチＳＷ１がオン状態である場合にはステップＳ４００４に進む。
【００６７】
ステップＳ４００４において、マイクロコンピュータ１はレンズ内制御回路２０に対して機械絞り２２の駆動命令を行い、該駆動命令を受けたレンズ内制御回路２０は、機械絞り２２の駆動を制御することで、絞り口径を開放状態にする。
【００６８】
次に、測光ユニット７において測光動作を開始させる（Ｓ４００５）。そして、マイクロコンピュータ１は、測光ユニット７から出力された測光結果に基づいて、露光時間（シャッタ速度）、ＦＮｏ（絞り値）および物性フィルタ２１の透過率の組合せを、上述したように予め設定された優先順位に従って決定する（Ｓ４００６）。
【００６９】
次に、マイクロコンピュータ１はレンズ内制御回路２０に対して物性フィルタ２１の駆動命令を行い、該駆動命令を受けたレンズ内制御回路２０は、物性フィルタ２１の駆動を制御することによって、物性フィルタ２１での透過率を、ステップＳ４００６で決定された透過率とする（Ｓ４００７）。
【００７０】
次に、焦点検出ユニット６を用いて焦点検出を行い、マイクロコンピュータ１は焦点検出ユニット６の焦点検出結果に基づいてフォーカスレンズの駆動量（駆動方向を含む）を演算する（Ｓ４００８）。そして、マイクロコンピュータ１は、フォーカスレンズの駆動量に関する情報をレンズ内制御回路２０に送信する。レンズ内制御回路２０は、受信したフォーカスレンズの駆動量に基づいてフォーカス駆動回路２３の駆動を制御することで、フォーカスレンズを合焦位置まで移動させる。
【００７１】
次に、マイクロコンピュータ１は、スイッチＳＷ２のオン／オフ状態の判別を行う（Ｓ４００９）。ここで、スイッチＳＷ２がオフ状態の場合にはステップＳ４００１へ戻る。一方、スイッチＳＷ２がオン状態の場合、すなわち、マイクロコンピュータ１がスイッチＳＷ２のオン信号（第２の信号）の入力を受けた場合にはステップＳ４０１０に進む。
【００７２】
ステップＳ４０１０において、マイクロコンピュータ１はレンズ内制御回路２０に対して機械絞り２２の駆動命令を行い、該駆動命令を受けたレンズ内制御回路２０は、機械絞り２２の駆動を制御することによって、機械絞り２２での絞り口径を、ステップＳ４００５で決定された絞り値に対応した絞り口径とする。
【００７３】
そして、マイクロコンピュータ１は、シャッタ制御回路８を介してシャッタユニットの駆動を制御することで、撮像素子に対して露光を行う（Ｓ４０１１）。ここで、ステップＳ４００６で決定された露出時間の分だけシャッタユニットを開き状態とした後、シャッタユニットを閉じ状態とする。これにより、撮像素子への露光が終了する。
【実施例５】
【００７４】
図６は、本発明の実施例５であるカメラシステムにおける撮影動作を示すフローチャートである。
【００７５】
まず、マイクロコンピュータ１に電力が供給されている状態において、マイクロコンピュータ１はスイッチＳＷ１のオン／オフ状態の判別を行う（Ｓ５００１）。ここで、スイッチＳＷ１がオフ状態の場合には本フローを終了する。一方、スイッチＳＷ１がオン状態の場合、すなわち、マイクロコンピュータ１がスイッチＳＷ１のオン信号（第１の信号）の入力を受けた場合には、ステップＳ５００２に進む。
【００７６】
ステップＳ５００２において、マイクロコンピュータ１は、レンズ内制御回路２０に対して機械絞り２２の駆動命令を行い、該駆動命令を受けたレンズ内制御回路２０は、機械絞り２２の駆動を制御することで、絞り口径を開放状態にする。
【００７７】
次に、測光ユニット７において測光動作を開始させる（Ｓ５００３）。そして、マイクロコンピュータ１は、測光ユニット７から出力された測光結果に基づいて、露光時間（シャッタ速度）、ＦＮｏ（絞り値）および物性フィルタ２１の透過率の組合せを、上述したように予め設定された優先順位に従って決定する（Ｓ５００４）。
【００７８】
次に、マイクロコンピュータ１は、レンズ内制御回路２０に対して物性フィルタ２１の駆動命令を行い、該駆動命令を受けたレンズ内制御回路２０は、物性フィルタ２１の駆動を制御することによって、物性フィルタ２１での透過率を、ステップＳ５００４で決定された透過率とする（Ｓ５００５）。
【００７９】
次に、焦点検出ユニット６を用いて焦点検出を行い、マイクロコンピュータ１は焦点検出ユニット６の焦点検出結果に基づいてフォーカスレンズの駆動量（駆動方向を含む）を演算する（Ｓ５００６）。そして、マイクロコンピュータ１は、フォーカスレンズの駆動量に関する情報をレンズ内制御回路２０に送信する。レンズ内制御回路２０は、受信したフォーカスレンズの駆動量に基づいてフォーカス駆動回路２３の駆動を制御することで、フォーカスレンズを合焦位置まで移動させる。
【００８０】
次に、マイクロコンピュータ１は、スイッチＳＷ２がオフ状態であるか、オン状態であるかの判別を行う（Ｓ５００７）。ここで、スイッチＳＷ２がオフ状態の場合にはステップＳ５００１へ戻る。一方、スイッチＳＷ２がオン状態の場合、すなわち、マイクロコンピュータ１がスイッチＳＷ２のオン信号（第２の信号）の入力を受けた場合には、ステップＳ５００８に進む。
【００８１】
ステップＳ５００８において、マイクロコンピュータ１はレンズ内制御回路２０に対して機械絞り２２の駆動命令を行い、該駆動命令を受けたレンズ内制御回路２０は、機械絞り２２の駆動を制御することによって、機械絞り２２の絞り口径を、ステップＳ５００４で決定された絞り値に応じた口径とする。
【００８２】
次に、測光ユニット７において再度測光動作を開始させる（Ｓ５００９）。そして、マイクロコンピュータ１は、測光ユニット７の測光結果に基づいて、ステップＳ５００５で設定した物性フィルタ２１の透過率に対して補正を行う（Ｓ５０１０）。
【００８３】
機械絞り２１を所望の絞り値となるように駆動させた場合でも、カメラ本体１００に装着される各種レンズ装置１０１内の機械絞り２１のメカ的な誤差によって、絞り口径の大きさが異なるおそれがある。
【００８４】
そこで、本実施例では、絞り口径の誤差の分だけ、物性フィルタ２２の透過率を補正することで適正な露出が得られるようにしている。すなわち、機械絞り２１を所望の絞り値とした状態で測光動作を行い（Ｓ５００９）、該測光結果に基づいて適正露出が得られるように物性フィルタ２１の透過率を変更している。
【００８５】
ここでは、絞り口径の誤差の分だけ物性フィルタ２２の透過率を変更しているだけである。このため、例えば、スイッチＳＷ２がオン状態となった後に物性フィルタ２２の透過率を予め決定された透過率（ステップＳ５００４で決定された透過率）に変化させる場合に比べて、ＳＷ２がオン状態となってから露光動作が完了するまでの時間を短縮することができる。
【００８６】
ステップＳ５０１１において、マイクロコンピュータ１は、シャッタ制御回路８を介してシャッタユニットの駆動を制御することで、撮像素子に対して露光を行わせる。ここで、ステップＳ５００４で決定された露出時間の分だけシャッタユニットを開き状態とした後、シャッタユニットを閉じ状態とする。これにより、撮像素子への露光が終了する。
【００８７】
本実施例によれば、上述したように、ステップＳ５００８で予め決定された絞り値となるように機械絞り２２を駆動した後、物性フィルタ２１の透過率を補正している。これにより、機械絞り２２の絞り口径の誤差によって生じる露出の誤差を補正することができ、適正露出を得ることができる。
【００８８】
本実施例は、上述した実施例２（図３）の変形例であって、露光動作を行う前に再度測光動作を行い、該測光動作の結果に基づいて物性フィルタ２１の透過率を補正するものであるが、本実施例は、実施例２以外の他の実施例にも適用することが可能である。
【００８９】
なお、上述した各実施例ではカメラシステムについて説明したが、レンズ一体型のカメラ（撮像装置）にも本発明を適用することができる。この場合、マイクロコンピュータ１が、レンズ内制御回路２０での動作を行うことになる。
【図面の簡単な説明】
【００９０】
【図１】本発明の実施例１であるカメラシステムのブロック図。
【図２】上記実施例１のカメラシステムにおける撮影動作を示すフローチャート。
【図３】本発明の実施例２であるカメラシステムにおける撮影動作を示すフローチャート。
【図４】本発明の実施例３であるカメラシステムにおける撮影動作を示すフローチャート。
【図５】本発明の実施例４であるカメラシステムにおける撮影動作を示すフローチャート。
【図６】本発明の実施例５であるカメラシステムにおける撮影動作を示すフローチャート。
【図７】エレクトロクロミック素子の構成を示す外観斜視図。
【図８】機械絞りの構成を示す外観斜視図。
【符号の説明】
【００９１】
１  マイクロコンピュ−タ
７  測光回路
９  スイッチＳＷ１
１０  スイッチＳＷ２
１１  メインスイッチ
１２  グリップセンサ
１３  ファインダセンサ
２１  物性フィルタ
【図１】
2006003438.tif 000003
【図２】
2006003438.tif 000004
【図３】
2006003438.tif 000005
【図４】
2006003438.tif 000006
【図５】
2006003438.tif 000007
【図６】
2006003438.tif 000008
【図７】
2006003438.tif 000009
【図８】
2006003438.tif 000010